(57)【要約】【課題】小冊子印刷された場合に、ページの先頭から読んでも、最後尾から読んでも同じ開き方向で読むことができるように、画像データの面付けを行う。【解決手段】印刷装置３にて印刷される印刷用紙の印刷領域を２分割する領域分割手段と、画像データとして、印刷用紙の先頭ページから面付けするための第１画像データと、印刷用紙の最後尾ページから面付けするための第２画像データとを取得する画像取得手段と、領域分割手段により２分割された印刷領域に対して、画像取得手段により取得された第１画像データ及び第２画像データの上下方向の向きが互いに逆となるように、第１画像データ及び第２画像データをページ単位で面付けする面付け手段を備える。【選択図】図２
2014078108.tif 000002
【特許請求の範囲】
【請求項１】
画像データに基づいて小冊子印刷する印刷装置と接続され、前記画像データの面付け処理を実行する印刷制御装置であって、
前記印刷装置にて印刷される印刷用紙の印刷領域を２分割する領域分割手段と、
前記画像データとして、前記印刷用紙の先頭ページから面付けするための第１画像データと、前記印刷用紙の最後尾ページから面付けするための第２画像データとを取得する画像取得手段と、
前記領域分割手段により２分割された印刷領域に対して、前記画像取得手段により取得された前記第１画像データ及び前記第２画像データの上下方向の向きが互いに逆となるように、前記第１画像データ及び前記第２画像データをページ単位で面付けする面付け手段と、
を備えたことを特徴とする印刷制御装置。
【請求項２】
前記領域分割手段は、
前記印刷装置にて印刷される印刷用紙の印刷領域を左右に２分割し、
前記面付け手段は、
前記領域分割手段により２分割された印刷領域に対して、左右交互に前記第１画像データ及び前記第２画像データをページ単位で面付けする
ことを特徴とする請求項１記載の印刷制御装置。
【請求項３】
前記領域分割手段は、
前記印刷装置にて印刷される印刷用紙の印刷領域を上下に２分割し、
前記面付け手段は、
前記領域分割手段により２分割された印刷領域に対して、前記第１画像データ及び前記第２画像データの向きが、交互に内向き又は外向きとなるように、前記第１画像データ及び前記第２画像データをページ単位で面付けする
ことを特徴とする請求項１記載の印刷制御装置。
【請求項４】
画像データに基づいて小冊子印刷する印刷装置と接続されたコンピュータ装置にインストールされ、前記画像データの面付け処理を実行する面付けプログラムであって、
前記コンピュータ装置に、
前記印刷装置にて印刷される印刷用紙の印刷領域を２分割する領域分割ステップと、
前記画像データとして、前記印刷用紙の先頭ページから面付けするための第１画像データと、前記印刷用紙の最後尾ページから面付けするための第２画像データとを取得する画像取得ステップと、
前記領域分割ステップにより２分割された印刷領域に対して、前記画像取得ステップにより取得された前記第１画像データ及び前記第２画像データの上下方向の向きが互いに逆となるように、前記第１画像データ及び前記第２画像データをページ単位で面付けする面付けステップと、
を実行させることを特徴とする面付けプログラム。
【発明の詳細な説明】
【技術分野】
【０００１】
本発明は、印刷装置と接続されたコンピュータ装置にインストールされ、プリンタドライバプログラムの実行によって面付けを行う印刷制御装置及び面付けプログラムに関する。
【背景技術】
【０００２】
通常、印刷装置に接続されたコンピュータ装置では、各種アプリケーションプログラム（以下、適宜、「アプリケーション」と略す。）の実行によって作成した画像データ（ファイル）を、印刷装置に送信して印刷を行う。その際、コンピュータ装置にインストールされたプリンタドライバプログラム（以下、適宜、「プリンタドライバ」と略す。）が実行されることにより、面付け等の各種設定が行われ、設定された設定情報に基づいて、印刷ジョブデータ（以下、適宜、「印刷ジョブ」と略す。）を生成し、印刷装置に送信して印刷させる。
【０００３】
例えば、特許文献１には、印刷用紙中に配置される面付け対象面の面付け数、順位を決める掛け方、綴じ方、開き方等の面付け情報と面付け対象面のサイズ情報と拡張領域情報とを参照して、拡張領域情報があるとき面付け対象面のサイズを拡大した描画領域を設定する面付け印刷装置が提案されている。
【先行技術文献】
【特許文献】
【０００４】
【特許文献１】特開平８−１５６４４３号公報
【発明の概要】
【発明が解決しようとする課題】
【０００５】
しかしながら、上述の特許文献１に記載の面付け印刷装置では、画像データの上下方向の向きを同一方向として面付けを行うことが前提であるので、例えば、２カ国語で記載する必要がある機器の操作マニュアルを作成する場合、いずれか一方の言語に記載されたページのページめくり方向が逆になるので、ユーザにとって、読みにくいものとなっていた。
【０００６】
一般的に、操作マニュアルは、両面印刷され、ユーザにとっての取り扱いの良さを考慮して、小冊子として製本される場合が多い。このように小冊子として製本される場合、２カ国語対応（例えば日本語と英語）の操作マニュアルだと、一方の言語で記載されたマニュアルは、先頭のページから左開きで読むことができるように配置され、他方の言語で記載されたマニュアルは、最後尾のページから右開きで読むように配置される。このように、ページめくり方向が逆になるので、他方の言語で記載されたマニュアルは非常に読みにくいものとなっていた。
【０００７】
本発明は、このような課題に鑑みてなされたものであり、小冊子印刷された場合に、ページの先頭から読んでも、最後尾から読んでも同じ開き方向で読むことができるように、画像データの面付けを行う印刷制御装置及び面付けプログラムを提供することを目的とする。
【課題を解決するための手段】
【０００８】
上記目的を達成するため、本発明に係る印刷制御装置の第１の特徴は、画像データに基づいて小冊子印刷する印刷装置と接続され、前記画像データの面付け処理を実行する印刷制御装置であって、前記印刷装置にて印刷される印刷用紙の印刷領域を２分割する領域分割手段と、前記画像データとして、前記印刷用紙の先頭ページから面付けするための第１画像データと、前記印刷用紙の最後尾ページから面付けするための第２画像データとを取得する画像取得手段と、前記領域分割手段により２分割された印刷領域に対して、前記画像取得手段により取得された前記第１画像データ及び前記第２画像データの上下方向の向きが互いに逆となるように、前記第１画像データ及び前記第２画像データをページ単位で面付けする面付け手段と、を備えたことにある。
【０００９】
本発明に係る印刷制御装置の第２の特徴は、前記領域分割手段は、前記印刷装置にて印刷される印刷用紙の印刷領域を左右に２分割し、前記面付け手段は、前記領域分割手段により２分割された印刷領域に対して、左右交互に前記第１画像データ及び前記第２画像データをページ単位で面付けすることにある。
【００１０】
本発明に係る印刷制御装置の第３の特徴は、前記領域分割手段は、前記印刷装置にて印刷される印刷用紙の印刷領域を上下に２分割し、前記面付け手段は、前記領域分割手段により２分割された印刷領域に対して、前記第１画像データ及び前記第２画像データの向きが、交互に内向き又は外向きとなるように、前記第１画像データ及び前記第２画像データをページ単位で面付けすることにある。
【００１１】
上記目的を達成するため、本発明に係る面付けプログラムの第１の特徴は、画像データに基づいて小冊子印刷する印刷装置と接続されたコンピュータ装置にインストールされ、前記画像データの面付け処理を実行する面付けプログラムであって、前記コンピュータ装置に、前記印刷装置にて印刷される印刷用紙の印刷領域を２分割する領域分割ステップと、前記画像データとして、前記印刷用紙の先頭ページから面付けするための第１画像データと、前記印刷用紙の最後尾ページから面付けするための第２画像データとを取得する画像取得ステップと、前記領域分割ステップにより２分割された印刷領域に対して、前記画像取得ステップにより取得された前記第１画像データ及び前記第２画像データの上下方向の向きが互いに逆となるように、前記第１画像データ及び前記第２画像データをページ単位で面付けする面付けステップと、を実行させることにある。
【発明の効果】
【００１２】
本発明に係る印刷制御装置の第１の特徴によれば、２分割された印刷領域に対して、第１画像データ及び第２画像データの上下方向の向きが互いに逆となるように、第１画像データ及び第２画像データをページ単位で面付けするので、小冊子印刷された場合に、ユーザは、ページの先頭から読んでも、最後尾から読んでも同じ開き方向で読むことができる。
【００１３】
本発明に係る印刷制御装置の第２の特徴によれば、印刷装置にて印刷される印刷用紙の印刷領域を左右に２分割し、２分割された印刷領域に対して、左右交互に第１画像データ及び第２画像データをページ単位で面付けするので、ユーザは、第１画像データ及び第２画像データの両方を、右開き又は左開きのいずれか一方方向で読むことができ、違和感を生じさせることがない。
【００１４】
本発明に係る印刷制御装置の第３の特徴によれば、印刷装置にて印刷される印刷用紙の印刷領域を上下に２分割し、２分割された印刷領域に対して、第１画像データ及び第２画像データの向きが、交互に内向き又は外向きとなるように、第１画像データ及び第２画像データをページ単位で面付けするので、ユーザは、第１画像データ及び第２画像データの両方を、上開き又は下開きのいずれか一方方向で読むことができ、違和感を生じさせることがない。
【図面の簡単な説明】
【００１５】
【図１】本発明の実施例１である面付けプログラムを実行するコンピュータ装置と、印刷装置と、サーバとの接続状態を示す図である。
【図２】コンピュータ装置と印刷装置の内部構成例を示すブロック図である。
【図３】本発明の実施例１である面付けプログラムを含むプリンタドライバが実行されることにより、表示部に表示された印刷設定画面の一例を示した図である。
【図４】（ａ）は、印刷設定画面の面付けタイプドロップダウンボックスにおいて、「右開き」を選択された場合におけるレイアウト表示欄に表示される印刷物の仕上がりのイメージの一例であり、（ｂ）は、印刷設定画面の面付けタイプドロップダウンボックスにおいて、「上下開き」を選択された場合におけるレイアウト表示欄に表示される印刷物の仕上がりのイメージの一例である。
【図５】本発明の実施例１である面付けプログラムに基づいて実行される面付け処理を示すフローチャートである。
【図６】印刷設定画面のタイプドロップダウンボックスにおいて、左開きが指定された場合における面付けを説明した図である。（ａ）が１枚目、（ｂ）が２枚目、（ｃ）が３枚目、（ｄ）が４枚目を示している。
【図７】印刷設定画面のタイプドロップダウンボックスにおいて、右開きが指定された場合における面付けを説明した図である。
【図８】印刷設定画面のタイプドロップダウンボックスにおいて、上下開きが指定された場合における面付けを説明した図である。
【図９】印刷装置にて印刷される印刷用紙の印刷領域が、面積に差を設けて２分割され、印刷設定画面のタイプドロップダウンボックスにおいて、左開きが指定された場合における面付けを説明した図である。
【発明を実施するための形態】
【００１６】
以下、本発明の実施の形態を、図面を参照しながら詳細に説明する。
【実施例１】
【００１７】
図１は、本発明の実施例１である面付けプログラムを実行するコンピュータ装置１と、印刷装置３と、サーバ５との接続状態を示す図である。
【００１８】
図１に示すように、本発明の実施例１である面付けプログラムを実行するコンピュータ装置１は、イントラネット２を介して印刷装置３と接続されていると共に、イントラネット２およびインターネット４を介してサーバ５と接続されている。なお、コンピュータ装置１や、印刷装置３、サーバ５は、汎用の装置である。
【００１９】
図２は、コンピュータ装置１と印刷装置３の内部構成例を示すブロック図である。
【００２０】
図２に示すように、このコンピュータ装置１は、汎用のパーソナルコンピュータと同様であり、各種プログラムを実行するＣＰＵ１１と、メモリ１２と、各種プログラムを記憶したＨＤＤ１３と、液晶モニタ等の表示部１４と、キーボードやマウス等の入力部１５と、イントラネット２と接続するためのＬＡＮインターフェース部等の通信処理部１６等を有している。
【００２１】
ここで、コンピュータ装置１のＨＤＤ１３には、オペレーティングステム（Operating System）１３３、文書のファイルを作成するための文書作成アプリケーションや、表ファイルを作成するための表作成アプリケーション、プレゼンテーションファイルを作成するためのプレゼン資料作成アプリケーション等のアプリケーションプログラム１３１、アプリケーションプログラム１３１の実行によって作成したファイルに対し所定の印刷設定を行った画像データ（ファイル）毎の印刷ジョブを生成して印刷装置３に対し送信するためのプリンタドライバ１３２を記憶している。このプリンタドライバ１３２によって生成される印刷ジョブは、ＰＤＦ（Portable Document Format）形式やＸＰＳ(XML Paper Specification)形式等のページ記述言語（ＰＤＬ；Page Description Language）で記述されている。
【００２２】
プリンタドライバ１３２には、面付けプログラム１３２ａが含まれており、この面付けプログラム１３２ａには、印刷装置３にて印刷される印刷用紙の印刷領域を２分割する領域分割ステップと、画像データとして、印刷用紙の先頭ページから面付けするための第１画像データと、印刷用紙の最後尾ページから面付けするための第２画像データとを取得する画像取得ステップと、領域分割ステップにより２分割された印刷領域に対して、画像取得ステップにより取得された第１画像データ及び第２画像データの上下方向の向きが互いに逆となるように、第１画像データ及び第２画像データをページ単位で面付けする面付けステップと、が含まれている。コンピュータ装置１のＣＰＵ１１は、面付けプログラム１３２ａを実行することにより、領域分割手段、画像取得手段、面付け手段を実装する。
【００２３】
なお、ここでは、プリンタドライバ１３２の一部として面付けプログラム１３２ａの機能が組み込まれた例を示したが、これに限らず、この面付けプログラム１３２ａは、プリンタドライバ１３２とは別のプログラムとしてＨＤＤ１３に格納されていてもよい。
【００２４】
また、面付けプログラム１３２ａは、イントラネット２およびインターネット４を介してサーバ５からコンピュータ装置１にダウンロードしてＨＤＤ１３に格納したり、あるいは面付けプログラム１３２ａが記録されたＣＤやＤＶＤ等の記録媒体からコンピュータ装置１が読み取ってＨＤＤ１３に格納するようにしても良い。
【００２５】
印刷装置３は、印刷動作プログラムを実行して各種動作命令を出力し印刷動作を制御する印刷制御手段として動作すると共に、印刷装置３の動作全般を制御するＣＰＵ３１と、印刷動作プログラム等のプログラムを記憶すると共に、各コンピュータ装置１が送信してきた印刷ジョブ等を記憶するメモリ３２と、液晶モニタ等の表示部３３と、印刷装置３の各種操作ボタンが設けられた操作受付部３４と、イントラネット２と接続するためのＬＡＮインターフェース部等の通信処理部３５と、ＣＰＵ３１からの各種動作命令に従って用紙を搬送すると共に、メモリ３２に記憶した印刷ジョブ等を読み出して各種印刷を行う印刷実行部３６と、ＣＰＵ３１からの各種動作命令に従って、小冊子を作成するための紙折りや、ステープル留め、パンチ２穴穿孔等の印刷装置３固有のフィニッシング処理を行うフィニッシング処理部３７等を有している。
【００２６】
図３は、本発明の実施例１である面付けプログラムを含むプリンタドライバ１３２が実行されることにより、表示部１４に表示された印刷設定画面の一例を示した図である。
【００２７】
図３に示すように、印刷設定画面１０１では、レイアウトタブのシートが表示されており、このレイアウトタブのシートには、通常面付け、反転面付け等の面付け方法の中からいずれかを指定するための面付けドロップダウンボックス１０３と、面数を指定するための面数ドロップダウンボックス１０５と、左開き、右開き、上下開きのうちいずれかの面付けタイプを指定するための面付けタイプドロップダウンボックス１０７と、面付けする画像データを選択するための画像データ指定入力欄１０９と、第１画像データとして、印刷用紙の先頭からの適用ページを選択する先頭適用ページ入力欄１１１と、第２画像データとして、印刷用紙の最後尾からの適用ページを選択する最後尾適用ページ入力欄１１３と、設定を確定するためのＯＫボタン１１５と、レイアウト表示欄１２０とを備えている。
【００２８】
図３では、ユーザにより、面付けドロップダウンボックス１０３において、「反転面付け」が選択され、面付けタイプドロップダウンボックス１０７において、「左開き」を選択された場合における印刷物の仕上がりのイメージがレイアウト表示欄１２０に表示されている。
【００２９】
図４（ａ）は、印刷設定画面１０１の面付けタイプドロップダウンボックス１０７において、「右開き」を選択された場合におけるレイアウト表示欄１２０に表示される印刷物の仕上がりのイメージの一例であり、図４（ｂ）は、印刷設定画面１０１の面付けタイプドロップダウンボックス１０７において、「上下開き」を選択された場合におけるレイアウト表示欄１２０に表示される印刷物の仕上がりのイメージの一例である。
【００３０】
図４（ａ）に示すように、面付けタイプドロップダウンボックス１０７において、「右開き」が選択されると、印刷領域が左右に２分割され、２分割された印刷領域に対して、第１画像データである「データ」が上下反転されて右側の印刷領域２０１に配置され、第２画像データである「ＤＡＴＡ」が左側の印刷領域２０２に配置されている。
【００３１】
また、図４（ｂ）に示すように、面付けタイプドロップダウンボックス１０７において、「上下開き」が選択されると、印刷領域が上下に２分割され、２分割された印刷領域に対して、第１画像データである「データ」が下側の印刷領域３０１に配置され、第２画像データである「ＤＡＴＡ」が上下反転されて上側の印刷領域３０２に配置されている。
【００３２】
図３に戻り、ユーザは、画像データ指定入力欄１０９において、画像データの保存場所とファイル名とを入力する。なお、ファイル指定ボタンを押下操作することで記憶されたファイルを選択する操作を行ってもよい。
【００３３】
次に、ユーザは、画像データ指定入力欄１０９により指定したファイルのうち、作成される小冊子の先頭ページから面付けしたいページを、第１画像データとして先頭適用ページ入力欄１１１に入力することにより指定する。さらに、ユーザは、指定したファイルのうち、作成される小冊子の最後尾ページから面付けしたいページを、第２画像データとして最後尾適用ページ入力欄１１３に入力することにより指定する。
【００３４】
そして、ユーザは、ＯＫボタン１１５を押下操作することにより、印刷設定が確定され、反転面付け処理が要求される。
【００３５】
次に、コンピュータ装置１のＣＰＵ１１が、ＨＤＤ１３に格納された面付けプログラム１３２ａを実行することにより制御される面付け処理について説明する。
【００３６】
図５は、本発明の実施例１である面付けプログラムに基づいて実行される面付け処理を示すフローチャートである。
【００３７】
図５に示すように、ＣＰＵ１１は、面付け処理が要求されたか否かを判定する（ステップＳ１００）。
【００３８】
ステップＳ１００において、面付け処理が要求されたと判定されると（ＹＥＳの場合）、ＣＰＵ１１は、画像データを取得する（ステップＳ１０５）。具体的には、コンピュータ装置１のＣＰＵ１１は、画像取得手段として機能して、画像データとして、画像データ指定入力欄１０９及び先頭適用ページ入力欄１１１において選択された情報に基づいて、印刷用紙の先頭ページから面付けするための第１画像データを取得すると共に、画像データ指定入力欄１０９及び最後尾適用ページ入力欄１１３において選択された情報に基づいて、印刷用紙の最後尾ページから面付けするための第２画像データとを取得する。
【００３９】
次に、ＣＰＵ１１は、印刷設定画面１０１の面付けタイプドロップダウンボックス１０７において、左開きか、右開きか、上下開きのいずれが指定されたかを判定する（ステップＳ１１０）。
【００４０】
ステップＳ１１０において、左開きが指定されたと判定された場合、ＣＰＵ１１は、印刷領域を左右に２分割する（ステップＳ１１５）。具体的には、コンピュータ装置１のＣＰＵ１１は、領域分割手段として機能して、印刷装置３にて印刷される印刷用紙の印刷領域を左右に２分割する。
【００４１】
そして、ＣＰＵ１１は、最初のページ（１ページ目）の右領域が正方向になるように、面付けを行う（ステップＳ１２０）。
【００４２】
図６は、ステップＳ１２０において、左開きが指定された場合における面付けを説明した図である。（ａ）が１枚目、（ｂ）が２枚目、（ｃ）が３枚目、（ｄ）が４枚目を示している。ここでは、第１の画像データは、「あ１」、「あ２」、「あ３」、「あ４」の４ページであり、第２の画像データは、「Ａ１」、「Ａ２」、「Ａ３」、「Ａ４」の４ページである。また、両面印刷を前提にしているため、奇数ページ目の画像データを表面に印刷するとすると、偶数ページの画像データは裏面に印刷されることとなるので、印刷用紙としては、合計２枚となる。
【００４３】
図６（ａ）に示すように、面付けタイプドロップダウンボックス１０７において、「左開き」が選択されると、右側の印刷領域と左側の印刷領域の左右に２分割される。
【００４４】
そして、コンピュータ装置１のＣＰＵ１１は、面付け手段として機能して、第１画像データ及び第２画像データの上下方向の向きが互いに逆となるように、左右交互に第１画像データ及び第２画像データをページ単位で面付けする。
【００４５】
具体的には、面付け手段は、第１画像データである「あ１」を、１ページ目の右側の印刷領域４０１に配置し、第２画像データである「Ａ１」を上下反転して、１ページ目の左側の印刷領域４０２に配置する。
【００４６】
次に、面付け手段は、図６（ｂ）に示すように、第１画像データである「あ２」を、２ページ目の左側の印刷領域４０４に配置し、第２画像データである「Ａ２」を上下反転して、２ページ目の右側の印刷領域４０３に配置する。
【００４７】
さらに、面付け手段は、図６（ｃ）に示すように、第１画像データである「あ３」を、３ページ目の右側の印刷領域４０５に配置し、第２画像データである「Ａ３」を上下反転して、３ページ目の左側の印刷領域４０６に配置する。
【００４８】
さらに、面付け手段は、図６（ｄ）に示すように、第１画像データである「あ４」を、４ページ目の左側の印刷領域４０８に配置し、第２画像データである「Ａ４」を上下反転して、４ページ目の右側の印刷領域４０７に配置する。
【００４９】
そして、ＣＰＵ１１は、面付けが行われた印刷設定情報に基づいて、印刷ジョブを生成し、印刷装置３に送信する（ステップＳ１４５）。
【００５０】
このように、ＣＰＵ１１は、第１画像データ及び第２画像データの上下方向の向きが互いに逆となり、かつ、最初のページ（１ページ目）の右側の印刷領域４０１に配置される第１画像データが、上下反転することなく正方向になるように面付けされ、以降は左右交互に第１画像データ及び第２画像データをページ単位で面付けし、この面付けした印刷設定情報に基づいて印刷ジョブを生成するので、図３のレイアウト表示欄１２０に表示された印刷物の仕上がりのイメージのような小冊子を作成することができる。
【００５１】
これにより、ユーザは、印刷された第１画像データを読む際、印刷物を上下反転させることなく、第１画像データを左開きで読むことができ、また、ユーザは、印刷された第２画像データを読む際、印刷物を上下反転させることにより、第２画像データを左開きで読むことができる。即ち、いずれの画像データも左開きで読むことができるので、ユーザに、違和感を生じさせることがない。
【００５２】
図５に戻り、ステップＳ１１０において、右開きが指定されたと判定された場合、ＣＰＵ１１は、印刷領域を左右に２分割する（ステップＳ１２５）。具体的には、コンピュータ装置１のＣＰＵ１１は、領域分割手段として機能して、印刷装置３にて印刷される印刷用紙の印刷領域を左右に２分割する。
【００５３】
そして、ＣＰＵ１１は、最初のページ（１ページ目）の左領域が正方向になるように、面付けを行う（ステップＳ１３０）。
【００５４】
図７は、ステップＳ１３０において、右開きが指定された場合における面付けを説明した図である。（ａ）が１枚目、（ｂ）が２枚目、（ｃ）が３枚目、（ｄ）が４枚目を示している。ここでは、第１の画像データは、「い１」、「い２」、「い３」、「い４」の４ページであり、第２の画像データは、「Ｂ１」、「Ｂ２」、「Ｂ３」、「Ｂ４」の４ページである。また、両面印刷を前提にしているため、奇数ページ目の画像データを表面に印刷するとすると、偶数ページの画像データは裏面に印刷されることとなるので、印刷用紙としては、合計２枚となる。
【００５５】
図７（ａ）に示すように、面付けタイプドロップダウンボックス１０７において、「右開き」が選択されると、右側の印刷領域と左側の印刷領域の左右に２分割されている。
【００５６】
そして、コンピュータ装置１のＣＰＵ１１は、面付け手段として機能して、第１画像データ及び第２画像データの上下方向の向きが互いに逆となるように、左右交互に第１画像データ及び第２画像データをページ単位で面付けする。
【００５７】
具体的には、面付け手段は、第１画像データである「い１」を上下反転して、１ページ目の右側の印刷領域５０１に配置し、第２画像データである「Ｂ１」を、１ページ目の左側の印刷領域５０２に配置する。
【００５８】
次に、面付け手段は、図７（ｂ）に示すように、第１画像データである「い２」を上下反転して、２ページ目の左側の印刷領域５０４に配置し、第２画像データである「Ｂ２」を、２ページ目の右側の印刷領域５０３に配置する。
【００５９】
さらに、面付け手段は、図７（ｃ）に示すように、第１画像データである「い３」を上下反転して、３ページ目の右側の印刷領域５０５に配置し、第２画像データである「Ｂ３」を、３ページ目の左側の印刷領域５０６に配置する。
【００６０】
さらに、面付け手段は、図７（ｄ）に示すように、第１画像データである「い４」を上下反転して、４ページ目の左側の印刷領域５０８に配置し、第２画像データである「Ｂ４」を、４ページ目の右側の印刷領域５０７に配置する。
【００６１】
そして、ＣＰＵ１１は、面付けが行われた印刷設定情報に基づいて、印刷ジョブを生成し、印刷装置３に送信する（ステップＳ１４５）。
【００６２】
このように、ＣＰＵ１１は、第１画像データ及び第２画像データの上下方向の向きが互いに逆となり、かつ、最初のページ（１ページ目）の左側の印刷領域５０２に配置される第２画像データが、上下反転することなく正方向になるように面付けされ、さらに、以降は左右交互に第１画像データ及び第２画像データをページ単位で面付けし、この面付けした印刷設定情報に基づいて印刷ジョブを生成するので、図４（ａ）に示したレイアウト表示欄１２０に表示される印刷物の仕上がりのイメージのような小冊子を作成することができる。
【００６３】
これにより、ユーザは、印刷された第２画像データを読む際、印刷物を上下反転させることなく、第２画像データを右開きで読むことができる。また、ユーザは、印刷された第１画像データを読む際、印刷物を上下反転させることにより、第２画像データを右開きで読むことができる。即ち、いずれの画像データも右開きで読むことができるので、ユーザに、違和感を生じさせることがない。
【００６４】
図５に戻り、ステップＳ１１０において、上下開きが指定されたと判定された場合、ＣＰＵ１１は、印刷領域を上下に２分割する（ステップＳ１３５）。具体的には、コンピュータ装置１のＣＰＵ１１は、領域分割手段として機能して、印刷装置３にて印刷される印刷用紙の印刷領域を上下に２分割する。
【００６５】
そして、ＣＰＵ１１は、最初のページ（１ページ目）が内向き、即ち、最初のページ（１ページ目）の下領域が正方向になるように、面付けを行う（ステップＳ１４０）。
【００６６】
図８は、ステップＳ１４０において、上下開きが指定された場合における面付けを説明した図である。（ａ）が１枚目、（ｂ）が２枚目、（ｃ）が３枚目、（ｄ）が４枚目を示している。ここでは、第１の画像データは、「う１」、「う２」、「う３」、「う４」の４ページであり、第２の画像データは、「Ｃ１」、「Ｃ２」、「Ｃ３」、「Ｃ４」の４ページである。また、両面印刷を前提にしているため、奇数ページ目の画像データを表面に印刷するとすると、偶数ページの画像データは裏面に印刷されることとなるので、印刷用紙としては、合計２枚となる。
【００６７】
図８（ａ）に示すように、面付けタイプドロップダウンボックス１０７において、「上下開き」が選択されると、上側の印刷領域と下側の印刷領域の上下に２分割されている。
【００６８】
そして、コンピュータ装置１のＣＰＵ１１は、面付け手段として機能して、第１画像データ及び第２画像データの上下方向の向きが互いに逆となり、かつ、交互に内向き又は外向きとなるように、第１画像データ及び第２画像データをページ単位で面付けする。
【００６９】
具体的には、面付け手段は、第１画像データである「う１」を、１ページ目の下側の印刷領域６０１に配置し、第２画像データである「Ｃ１」を、１ページ目の上側の印刷領域６０２に配置する。これにより、第１画像データである「う１」と、第２画像データである「Ｃ１」との上下方向の向きが内向きとなっている。
【００７０】
次に、面付け手段は、図８（ｂ）に示すように、第１画像データである「う２」を上下反転して、２ページ目の下側の印刷領域６０３に配置し、第２画像データである「Ｃ２」を、２ページ目の上側の印刷領域６０４に配置する。これにより、第１画像データである「う２」と、第２画像データである「Ｃ２」との上下方向の向きが外向きとなっている。
【００７１】
さらに、面付け手段は、図８（ｃ）に示すように、第１画像データである「う３」を、３ページ目の下側の印刷領域６０５に配置し、第２画像データである「Ｃ３」を、３ページ目の上側の印刷領域６０６に配置する。これにより、第１画像データである「う３」と、第２画像データである「Ｃ３」との上下方向の向きが内向きとなっている。
【００７２】
さらに、面付け手段は、図８（ｄ）に示すように、第１画像データである「う４」を上下反転して、４ページ目の下側の印刷領域６０７に配置し、第２画像データである「Ｃ４」を、４ページ目の上側の印刷領域６０８に配置する。これにより、第１画像データである「う４」と、第２画像データである「Ｃ４」との上下方向の向きが外向きとなっている。
【００７３】
そして、ＣＰＵ１１は、面付けが行われた印刷設定情報に基づいて、印刷ジョブを生成し、印刷装置３に送信する（ステップＳ１４５）。
【００７４】
このように、ＣＰＵ１１は、第１画像データ及び第２画像データの上下方向の向きが互いに逆となり、かつ、最初のページ（１ページ目）の下側の印刷領域６０１に配置される第１画像データが、上下反転することなく正方向になるように面付けされ、さらに、以降は、交互に内向き又は外向きとなるように第１画像データ及び第２画像データをページ単位で面付けし、この面付けした印刷設定情報に基づいて印刷ジョブを生成するので、図４（ｂ）に示したレイアウト表示欄１２０に表示される印刷物の仕上がりのイメージのような小冊子を作成することができる。
【００７５】
これにより、ユーザは、印刷された第１画像データを読む際、印刷物を上下反転させることなく、第１画像データを上開きで読むことができる。また、ユーザは、印刷された第２画像データを読む際、印刷物を上下反転させることにより、第２画像データを上開きで読むことができる。即ち、いずれの画像データも上開きで読むことができるので、ユーザに、違和感が生じることがない。
【００７６】
以上のように、本発明の実施例１である面付けプログラム１３２ａによれば、コンピュータ装置１に、印刷装置３にて印刷される印刷用紙の印刷領域を２分割する領域分割ステップと、画像データとして、印刷用紙の先頭ページから面付けするための第１画像データと、印刷用紙の最後尾ページから面付けするための第２画像データとを取得する画像取得ステップと、領域分割ステップにより２分割された印刷領域に対して、画像取得ステップにより取得された第１画像データ及び第２画像データの上下方向の向きが互いに逆となるように、第１画像データ及び第２画像データをページ単位で面付けする面付けステップとを実行させるので、ユーザは、小冊子印刷された印刷物を、ページの先頭から読んでも、最後尾から読んでも同じ開き方向で読むことができる。
【００７７】
なお、本発明の実施例１では、１つの画像データ（ファイル）から、印刷用紙の先頭からの適用ページとして選択される第１画像データと、印刷用紙の最後尾からの適用ページとして選択される第２画像データに基づいて、面付け処理を行ったが、これに限らず、第１画像データと、第２画像データとをそれぞれ異なる画像データ（ファイル）から選択されるようにしてもよい。
【００７８】
例えば、図３に示した印刷設定画面において、画像データ指定入力欄１０９に替えて、面付けする第１画像データを選択するための画像データ指定入力欄１１０と、面付けする第２画像データを選択するための画像データ指定入力欄１１２とを設けるようにしてもよい。
【００７９】
これにより、ユーザは、第１画像データと、第２画像データとを、それぞれ異なる画像データ（ファイル）から指定することができるので、よりユーザは好みどおりに小冊子を印刷させることができる。
【００８０】
また、本発明の実施例１である面付けプログラムでは、図４（ａ）に示すように、第１画像データである日本語の横書きデータの「データ」が上下反転されて右側の印刷領域２０１に配置され、第２画像データである英語の横書きデータの「ＤＡＴＡ」が左側の印刷領域２０２に配置されている例を挙げて説明したが、これに限らない。
【００８１】
例えば、第１画像データや第２画像データは、横書きに限らず、縦書きでもよいし、日本語や英語に限らず、横書きで右から読むアラビア語などでも適用できる。
【００８２】
このように、第１画像データを、日本語又は中国語の縦書きデータとし、第２画像データを、アラビア語の横書きデータとしたり、第１画像データを、アラビア語の横書きデータとし、第２画像データを、日本語又は中国語の縦書きデータとしたり、様々な言語を組み合わせることができる。
【実施例２】
【００８３】
本発明の実施例１では、印刷装置にて印刷される印刷用紙の印刷領域を、均等に２分割する面付けプログラムを例に挙げて説明したが、分割の領域は均等２分割に限らない。
【００８４】
本発明の実施例２では、印刷装置にて印刷される印刷用紙の印刷領域を、面積に差を設けて２分割する面付けプログラムを例に挙げて説明する。
【００８５】
なお、本発明の実施例２である面付けプログラムを実行するコンピュータ装置１と、印刷装置３と、サーバ５との接続状態や、コンピュータ装置１と印刷装置３の内部構成については、それぞれ図１に示した接続状態、図２に示した内部構成と同一であるので、説明を省略する。ただし、印刷装置３は、印刷ジョブに応じて、様々な位置で紙折りする機能を有しているものとする。
【００８６】
図９は、印刷装置にて印刷される印刷用紙の印刷領域が、面積に差を設けて２分割され、左開きが指定された場合における面付けを説明した図である。（ａ）が１枚目、（ｂ）が２枚目、（ｃ）が３枚目、（ｄ）が４枚目を示している。ここでは、第１の画像データは、「え１」、「え２」、「え３」、「え４」の４ページであり、第２の画像データは、「Ｄ１」、「Ｄ２」、「Ｄ３」、「Ｄ４」の４ページである。また、両面印刷を前提にしているため、奇数ページ目の画像データを表面に印刷するとすると、偶数ページの画像データは裏面に印刷されることとなるので、印刷用紙としては、合計２枚となる。
【００８７】
図９（ａ）に示すように、面付けタイプドロップダウンボックス１０７において、「左開き」が選択されると、１ページ目の右側の印刷領域７０１の面積に対し、１ページ目の左側の印刷領域７０２の面積が大きくなるように、面積に差を設けて左右に２分割されている。
【００８８】
そして、コンピュータ装置１のＣＰＵ１１は、面付け手段として機能して、第１画像データ及び第２画像データの上下方向の向きが互いに逆となるように、左右交互に第１画像データ及び第２画像データをページ単位で面付けする。
【００８９】
具体的には、面付け手段は、第１画像データである「え１」を、１ページ目の右側の印刷領域７０１に配置し、第２画像データである「Ｄ１」を上下反転して、１ページ目の左側の印刷領域７０２に配置する。
【００９０】
次に、面付け手段は、図９（ｂ）に示すように、第１画像データである「え２」を、２ページ目の左側の印刷領域７０４に配置し、第２画像データである「Ｄ２」を上下反転して、２ページ目の右側の印刷領域７０３に配置する。
【００９１】
さらに、面付け手段は、図９（ｃ）に示すように、第１画像データである「え３」を、３ページ目の右側の印刷領域７０５に配置し、第２画像データである「Ｄ３」を上下反転して、３ページ目の左側の印刷領域７０６に配置する。
【００９２】
さらに、面付け手段は、図９（ｄ）に示すように、第１画像データである「え４」を、４ページ目の左側の印刷領域７０８に配置し、第２画像データである「Ｄ４」を上下反転して、４ページ目の右側の印刷領域７０７に配置する。
【００９３】
このように、ＣＰＵ１１は、第１画像データ及び第２画像データの上下方向の向きが互いに逆となるように、面積に差を設けて左右に２分割された印刷領域の左右交互に第１画像データ及び第２画像データをページ単位で面付けする。
【００９４】
これは、例えば、旅行のパンフレット等に用いられる。第１画像データを旅行先のダイジェストの内容とし、第２画像データを地図などの旅行先の詳細内容とすることで、ユーザは、印刷された旅行先のダイジェストを読む際、印刷物を上下反転させることなく、旅行先のダイジェストを左開きで読むことができ、また、ユーザは、印刷された旅行先の詳細内容を読む際、印刷物を上下反転させることにより、旅行先の詳細内容を左開きで読むことができる。即ち、いずれの画像データも左開きで読むことができるので、ユーザに、違和感を生じさせることがない。
【符号の説明】
【００９５】
１…コンピュータ装置（印刷制御装置）
２…イントラネット
３…印刷装置
４…インターネット
５…サーバ
１１…ＣＰＵ
１２…メモリ
１３…ＨＤＤ
１４…表示部
１５…入力部
１６…通信処理部
３１…ＣＰＵ
３２…メモリ
３３…表示部
３４…操作受付部
３５…通信処理部
３６…印刷実行部
３７…フィニッシング処理部
１３１…アプリケーションプログラム
１３２…プリンタドライバ
１３２ａ…面付けプログラム
１３３…オペレーティングステム
【図１】
2014078108.tif 000003
【図２】
2014078108.tif 000004
【図３】
2014078108.tif 000005
【図４】
2014078108.tif 000006
【図５】
2014078108.tif 000007
【図６】
2014078108.tif 000008
【図７】
2014078108.tif 000009
【図８】
2014078108.tif 000010
【図９】
2014078108.tif 000011